(57)【要約】【課題】中継局単位のチャンネルリストを取得する。【解決手段】各中継局ごとに割り当てられている物理チャンネルとネットワークＩＤとを関連付けた中継局テーブルをあらかじめ複数保持しておき、所定のデフォルト値から受信可能物理チャンネルとその物理チャンネルで放送されているネットワークＩＤのサーチをして、サーチの結果取得されたネットワークＩＤとそのネットワークＩＤを受信した物理チャンネルとの少なくとも一の組合せを示す組合情報をキーとして保持されている各中継局テーブルを検索し、この組合情報と同じ組合せの関連付けペアが含まれる中継局テーブルを特定し、特定された中継局テーブルに含まれる物理チャンネルを前記環境下における受信可能物理チャンネルの一覧テーブルであるとして取得するデジタル放送受信装置を提案する。【選択図】図１
2008167085.tif 000002
【特許請求の範囲】
【請求項１】
デジタル放送受信装置が設置された環境下における受信可能物理チャンネルの一覧テーブルを取得するために所定のデフォルト値から受信可能物理チャンネルと、その物理チャンネルで放送されているネットワークＩＤのサーチをするサーチ部と、
各中継局ごとに割り当てられている物理チャンネルと、その物理チャンネルで放送されているとされるネットワークＩＤと、を関連付けた中継局テーブルを複数保持する中継局テーブル保持部と、
サーチの結果取得されたネットワークＩＤとそのネットワークＩＤを受信した物理チャンネルとの少なくとも一の組合せを示す組合情報をキーとして保持されている各中継局テーブルを検索し、この組合情報と同じ組合せの関連付けペアが含まれる中継局テーブルを特定する中継局テーブル特定部と、
特定された中継局テーブルに含まれる物理チャンネルを前記環境下における受信可能物理チャンネルの一覧テーブルであるとして取得する一覧テーブル取得部と、
を有するデジタル放送受信装置。
【請求項２】
組合情報をキーとして行なう前記検索により特定される中継局テーブルが複数である場合に、利用者に対して特定された複数の中継局テーブルから一の中継局テーブルを選択させるための選択支援情報を出力する選択支援情報出力部を有する請求項１に記載のデジタル放送受信装置。
【請求項３】
サーチ部によって最初に取得された組合情報をキーとして行なう前記検索により特定される中継局テーブルが複数である場合には、さらに組合情報を取得するためのサーチを行なわせ、取得された組合情報により特定される中継局テーブルが一となるまでこれを繰返しサーチ部と中継局テーブル特定部とに行なわせる第一制御をする第一制御部を有する請求項１又は２に記載のデジタル放送受信装置。
【請求項４】
中継局テーブル保持部に保持されている中継局テーブルは各物理チャンネルに関連付けられた複数の操作用識別子をも含み、操作用識別子と物理チャンネルとの関連付けを用いて選局操作部ドライバを設定する第一ドライバ設定部をさらに有する請求項１から３のいずれか一に記載のデジタル放送受信装置。
【請求項５】
予め定められた数の組合情報をキーとして行なう前記検索により一以上の中継局テーブルを特定できない場合には、所定の全範囲で受信可能物理チャンネルのサーチをする全サーチ部をさらに有する請求項１から３のいずれか一に記載のデジタル放送受信装置。
【請求項６】
全サーチ部にてサーチされた各物理チャンネルにて受信する各信号に含まれている各操作用識別子を用いて選局操作部ドライバを設定する第二ドライバ設定部をさらに有する請求項５に記載のデジタル放送受信装置。
【請求項７】
予め定められた数の組合情報をキーとして行なう前記検索により一以上の中継局テーブルを特定できない場合には、所定のＵＲＬから中継局テーブルを取得し中継局テーブル保持部に記録する中継局テーブル更新部をさらに有する請求項１から６のいずれか一に記載のデジタル放送受信装置。
【請求項８】
組合情報をキーとして行なう前記検索により特定される中継局テーブルが複数である場合に、複数の中継局テーブルに含まれている物理チャンネルの論理和を受信可能物理チャンネルの一覧テーブルであるとして取得する論理和一覧テーブル取得部をさらに有する請求項１から７のいずれか一に記載のデジタル放送受信装置。
【請求項９】
各中継局ごとに割り当てられている物理チャンネルと、その物理チャンネルで放送されているとされるネットワークＩＤと、を関連付けた中継局テーブルを複数保持するデジタル放送受信装置の動作方法であって、
デジタル放送受信装置が設置された環境下における受信可能物理チャンネルの一覧テーブルを取得するために所定のデフォルト値から受信可能物理チャンネルと、その物理チャンネルで放送されているネットワークＩＤのサーチをするサーチステップと、
サーチの結果取得されたネットワークＩＤとそのネットワークＩＤを受信した物理チャンネルとの少なくとも一の組合せを示す組合情報をキーとして保持されている各中継局テーブルを検索し、この組合情報と同じ組合せの関連付けペアが含まれる中継局テーブルを特定する中継局テーブル特定ステップと、
特定された中継局テーブルに含まれる物理チャンネルを前記環境下における受信可能物理チャンネルの一覧テーブルであるとして取得する一覧テーブル取得ステップと、
を有するデジタル放送受信装置の動作方法。
【請求項１０】
組合情報をキーとして行なう前記検索により特定される中継局テーブルが複数である場合に、利用者に対して特定された複数の中継局テーブルから一の中継局テーブルを選択させるための選択支援情報を出力する選択支援情報出力ステップを有する請求項９に記載のデジタル放送受信装置の動作方法。
【請求項１１】
サーチステップによって最初に取得された組合情報をキーとして行なう前記検索により特定される中継局テーブルが複数である場合には、さらに組合情報を取得するためのサーチを行なわせ、取得された組合情報により特定される中継局テーブルが一となるまでこれを繰返しサーチステップと中継局テーブル特定ステップとを繰り返す請求項９又は１０に記載のデジタル放送受信装置の動作方法。
【請求項１２】
保持されている中継局テーブルは各物理チャンネルに関連付けられた複数の操作用識別子をも含み、操作用識別子と物理チャンネルとの関連付けを用いて選局操作部ドライバを設定する第一ドライバ設定ステップをさらに有する請求項９から１１のいずれか一に記載のデジタル放送受信装置の動作方法。
【請求項１３】
予め定められた数の組合情報をキーとして行なう前記検索により一以上の中継局テーブルを特定できない場合には、所定の全範囲で受信可能物理チャンネルのサーチをする全サーチステップをさらに有する請求項９から１１のいずれか一に記載のデジタル放送受信装置の動作方法。
【請求項１４】
全サーチステップにてサーチされた各物理チャンネルにて受信する各信号に含まれている各操作用識別子を用いて選局操作部ドライバを設定する第二ドライバ設定ステップをさらに有する請求項１３に記載のデジタル放送受信装置の動作方法。
【請求項１５】
予め定められた数の組合情報をキーとして行なう前記検索により一以上の中継局テーブルを特定できない場合には、所定のＵＲＬから中継局テーブルを取得し新たな中継局テーブルとして保持する中継局テーブル取得ステップをさらに有する請求項９から１４のいずれか一に記載のデジタル放送受信装置の動作方法。
【請求項１６】
組合情報をキーとして行なう前記検索により特定される中継局テーブルが複数である場合に、複数の中継局テーブルに含まれている物理チャンネルの論理和を受信可能物理チャンネルの一覧テーブルであるとして取得する論理和一覧テーブル取得ステップをさらに有する請求項９から１５のいずれか一に記載のデジタル放送受信装置の動作方法。
【発明の詳細な説明】
【技術分野】
【０００１】
デジタル放送受信装置におけるチャンネルリスト取得方法に関する。
【背景技術】
【０００２】
従来、地上デジタル放送を受信するデジタル放送受信装置においてリモコンのキーにより選局を行なうために、あらかじめリモコンキーと各放送局の物理チャンネルを関連付けたリスト（以下、「チャンネルリスト」という）を生成する必要がある。このチャンネルリストを生成するために、いわゆるチャンネルスキャンという方法がある。チャンネルスキャンは、ＵＨＦ１３ＣＨ（チャンネル）から６２ＣＨまで順番にチューニングを行なって放送波を受信し、受信した放送波からＮＩＴ（Ｎｅｔｗｏｒｋ  Ｉｎｆｏｒｍａｔｉｏｎ  Ｔａｂｌｅ）というパケットデータを取得し、ＮＩＴに含まれているリモコンキーＩＤを取得することによりチャンネルリストを決定する方法である。しかし、チャンネルスキャンでは全チャンネルにおいて放送波を受信するため処理に時間がかかるという欠点がある。このような問題に対して、特許文献１においては全てのチャンネルにおいて放送波を受信することなくチャンネルリストを決定する方法が開示されている。特許文献１におけるチャンネルリストの決定方法は、デジタル放送受信装置内にあらかじめ放送地域識別情報と関連付けたチャンネルリストを保持しておき、受信した放送波から取得したＮＩＴに含まれている放送地域識別情報に基づいてチャンネルリストを決定する。
【特許文献１】特開２００６−２０１７８号公報
【発明の開示】
【発明が解決しようとする課題】
【０００３】
しかしながら、図４０に示すように、特許文献１における「放送地域識別情報」とは北海道のような広い地域を除いては県単位で地域を識別するための情報であり、実際にはこの放送地域識別情報にて識別される地域内（４００１）においては、一の放送局の電波が中継局からは別の物理チャンネルで放送されているような中継局地域（４００２ａ、４００２ｂ、４００２ｃ）が複数存在する。このような中継局地域では、放送地域識別情報によってチャンネルリストを決定しても最適なチャンネルリストではない可能性がある。また、中継局を識別するような情報は放送波には含まれていないため、特許文献１と同様の方法によってチャンネルリストを決定することはできない。
【課題を解決するための手段】
【０００４】
そこで本発明においては、各中継局ごとに割り当てられている物理チャンネルと、その物理チャンネルで放送されているとされるネットワークＩＤと、を関連付けた中継局テーブルをあらかじめ複数保持しておき、所定のデフォルト値から受信可能物理チャンネルとその物理チャンネルで放送されているネットワークＩＤのサーチをして、サーチの結果取得されたネットワークＩＤとそのネットワークＩＤを受信した物理チャンネルとの少なくとも一の組合せを示す組合情報をキーとして保持されている各中継局テーブルを検索し、この組合情報と同じ組合せの関連付けペアが含まれる中継局テーブルを特定し、特定された中継局テーブルに含まれる物理チャンネルを前記環境下における受信可能物理チャンネルの一覧テーブルであるとして取得するデジタル放送受信装置を提案する。なお、ネットワークＩＤはデジタル放送波に含まれている情報であり放送局を識別するための情報である。
【０００５】
図１は、本発明に係るデジタル放送受信装置におけるチャンネルリスト取得方法の概念図である。まず、デジタル放送受信装置（０１０１）は物理チャンネル（０１０５）とネットワークＩＤ（０１０６）とを関連付けた中継局テーブル（０１０２）をあらかじめ地域ごとに保持しておく。デジタル放送受信装置（０１０１）が２７ＣＨにチューニングして、放送波から‘Ａ放送’を表すネットワークＩＤ（０１０３）を取得したとすると、‘２７ＣＨ’という物理チャンネルと‘Ａ放送’を表すネットワークＩＤの組合情報が、いずれの中継局テーブル（０１０２）に含まれているかを検索し、一の中継局テーブル（０１０４）を特定する。この特定した中継局テーブルを利用して、その中継局地域におけるチャンネルリストを決定する。
【０００６】
また、組合情報をキーとして行なう前記検索により特定される中継局テーブルが複数である場合に、利用者に対して特定された複数の中継局テーブルから一の中継局テーブルを選択させるための選択支援情報を出力するようになっていてもよい。また、サーチによって最初に取得された組合情報をキーとして行なう前記検索により特定される中継局テーブルが複数である場合には、さらに組合情報を取得するためのサーチを行なわせ、取得された組合情報により特定される中継局テーブルが一となるまでこれを繰返しサーチと中継局テーブルの特定とを行なわせるようになっていてもよい。また、保持されている中継局テーブルは各物理チャンネルに関連付けられた複数の操作用識別子をも含み、操作用識別子と物理チャンネルとの関連付けを用いて選局操作部ドライバを設定するようになっていてもよい。また、予め定められた数の組合情報をキーとして行なう前記検索により一以上の中継局テーブルを特定できない場合には、所定の全範囲で受信可能物理チャンネルのサーチをするようになっていてもよい。さらに、所定の全範囲で受信可能物理チャンネルのサーチをした場合、サーチされた各物理チャンネルにて受信する各信号に含まれている各操作用識別子を用いて選局操作部ドライバを設定するようになっていてもよい。また、予め定められた数の組合情報をキーとして行なう前記検索により一以上の中継局テーブルを特定できない場合には、所定のＵＲＬから中継局テーブルを取得し中継局テーブルとして記録するようになっていてもよい。また、組合情報をキーとして行なう前記検索により特定される中継局テーブルが複数である場合に、複数の中継局テーブルに含まれている物理チャンネルの論理和を受信可能物理チャンネルの一覧テーブルであるとして取得するようになっていてもよい。
【発明の効果】
【０００７】
本発明のデジタル放送受信装置によれば、デジタル放送が中継局を経由して行なわれる場合に、全サーチをせずに中継局地域に応じたチャンネルリストの選択をすることができる。
【発明を実施するための最良の形態】
【０００８】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、９などについて説明する。実施形態２は、主に請求項２、１０などについて説明する。実施形態３は、主に請求項３、１１などについて説明する。実施形態４は、主に請求項４、１２などについて説明する。実施形態５は、主に請求項５、１３などについて説明する。実施形態６は、主に請求項６、１４などについて説明する。実施形態７は、主に請求項７、１５などについて説明する。実施形態８は、主に請求項８、１６などについて説明する。
（実施形態１）
【０００９】
（実施形態１：概要）本実施形態は、各中継局ごとに割り当てられている物理チャンネルとネットワークＩＤとを関連付けた中継局テーブルをあらかじめ複数保持しておき、所定のデフォルト値から受信可能物理チャンネルとその物理チャンネルで放送されているネットワークＩＤのサーチをして取得されたネットワークＩＤと物理チャンネルとの少なくとも一の組合せを示す組合情報をキーとして各中継局テーブルを検索して特定し、その中継局テーブルに含まれる物理チャンネルを受信可能物理チャンネルの一覧テーブルとして取得するデジタル放送受信装置について説明する。
【００１０】
（実施形態１：構成）本実施形態に係るデジタル放送受信装置の機能ブロック図を図２に例示する。デジタル放送受信装置（０２００）は、「サーチ部」（０２０１）と、「中継局テーブル保持部」（０２０２）と、「中継局テーブル特定部」（０２０３）と、「一覧テーブル取得部」（０２０４）と、を有する。
【００１１】
また、図３は一般的なデジタル放送受信装置の構成例を示す図である。本実施形態に係るデジタル放送受信装置は、アンテナ（０３０１）にて放送波を受信し、フロントエンド部（０３０２）はチューナ、放送波復調部を含み、指定された物理チャンネルの放送波を復調してＴＳ（Ｔｒａｎｓｐｏｒｔ  Ｓｔｒｅａｍ）を出力する機能を有する（ＴＳについては後に詳述する）。ＴＳ分離部（０３０３）は、フロントエンド部（０３０２）から出力されるＴＳをパケット種別毎に分離し、デジタル放送の構成情報を表すデータ列であるＰＳＩ（Ｐｒｏｇｒａｍ  Ｓｐｅｃｉｆｉｃ  Ｉｎｆｏｒｍａｔｉｏｎ：番組特定情報）や、番組タイトル、放送時間、チャンネル等の詳細情報を示すデータ列であるＳＩ（Ｓｅｒｖｉｃｅ  Ｉｎｆｏｒｍａｔｉｏｎ：サービス情報）のセクションデータをＴＳパケットから構築し、ＰＳＩ／ＳＩ解析部（０３０４）に送る。ＰＳＩ／ＳＩ解析部（０３０４）は、ＴＳ分離部（０３０３）で分離されたＰＳＩやＳＩを解析する機能を有し、ＰＳＩの一つであるＮＩＴからネットワークＩＤ、ＴＳ名（サービス提供事業者名）、リモコンキーＩＤなどの抽出を行なう。表示部（０３０５）は、テレビ放送番組等を表示する機能を有し、操作部（０３０６）は、利用者の入出力に関するインタフェースを受け持つ。通信部（０３０７）は、ネットワーク通信の機能を有する。スキャン制御部（０３０８）は放送波のスキャンを制御する機能を有し、放送波スキャンを開始したり、スキャン中はフロントエンド部（０３０２）へ受信チャンネルの設定を行なったり、ＰＳＩ／ＳＩ解析部（０３０４）でＮＩＴを取得後にスキャンを停止する制御などを行なう。以上は一般的なデジタル放送受信装置の構成例であるが、本発明に係るデジタル放送受信装置は図３と同様の構成にて実現可能である。また、デジタル放送受信装置が受信する「デジタル放送」は、デジタルテレビ放送のみならずデジタルラジオ放送であってもよい。また、デジタル放送受信装置はデジタル放送を受信可能な装置であり、据え置き型のデジタルテレビ、デジタル放送受信用ＳＴＢ（Ｓｅｔ  Ｔｏｐ  Ｂｏｘ）、デジタル放送受信機能付携帯電話等の携帯型端末、車載型デジタル放送受信装置等の移動型端末などが該当する。なお携帯型端末や移動型端末はその位置が変化する場合が多く、位置が変化することで放送波を受信する中継局が変更となった場合にはチャンネルリストを取得する必要があるため、特に本発明が有用であると思われる。
【００１２】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００１３】
「サーチ部」（０２０１）は、デジタル放送受信装置が設置された環境下における受信可能物理チャンネルの一覧テーブルを取得するために所定のデフォルト値から受信可能物理チャンネルと、その物理チャンネルで放送されているネットワークＩＤのサーチをする。「デジタル放送受信装置が設置された環境下における受信可能物理チャンネルの一覧テーブル」とは、図４０にて説明したように、デジタル放送受信装置が現時点において設置されている中継局地域（４００２ａ、４００２ｂ、４００２ｃ）における受信可能物理チャンネルの一覧テーブル、という意味である。なお、「設置」とは、据え置くように設置される場合のみならず、携帯型端末や移動型端末のように利用者の移動などに伴ってデジタル放送受信装置の位置が変化して新たな中継局地域に属することとなる場合なども含む概念である。また、「所定のデフォルト値」とは、サーチを開始する物理チャンネルを定める情報である。例えば、現在の地上デジタルテレビ放送はＵＨＦ帯の１３ＣＨから６２ＣＨまで存在するが、１３ＣＨから６２ＣＨまで昇順にサーチする場合には１３ＣＨが該当し、６２ＣＨから１３ＣＨまで降順にサーチする場合には６２ＣＨが該当する。また、サーチする物理チャンネルの順番は１３ＣＨから６２ＣＨまでを順番にサーチする必要はなく、あらかじめサーチする順番を定めておいてもよい。また、「その物理チャンネルで放送されているネットワークＩＤ」とは、サーチの際にチューナに設定した物理チャンネルで受信される放送波に含まれているネットワークＩＤを指す。なお、ネットワークＩＤはデジタル放送波に含まれている情報であり放送局を識別するための情報である。
【００１４】
ここで、図４と図５を用いてＴＳとネットワークＩＤについて説明する。図４は、地上デジタルテレビ放送波の受信処理を示す概略図である。まず、アンテナにて放送波を受信し（０４０１）、受信した放送波に復調等の処理を行ないＴＳが出力される（０４０２）。出力されたＴＳは、オーディオストリーム（ＡＳ）、ビデオストリーム（ＶＳ）、番組情報等を含むセクションデータ（Ｓ）に分離される（０４０３）。さらに、分離されたオーディオストリーム（ＡＳ）、ビデオストリーム（ＶＳ）、セクションデータ（Ｓ）はそれぞれ別々にデコード（復号）処理される（０４０４）。また、ＮＩＴはＰＳＩ／ＳＩの一つであり、ＰＩＳ／ＳＩはセクションデータとして伝送されるので、セクションデータがデコード処理されることにより（０４０４）、ＮＩＴが抽出される。また、後述するネットワークＩＤはＮＩＴに含まれているので、ＮＩＴが抽出されることによりネットワークＩＤが取得可能となる。なお、図３で説明したデジタル放送受信装置の構成において、アンテナ（０３０１）において放送波の受信（図４の０４０１）が行われ、フロントエンド部（０３０２）において復調処理（図４の０４０２）が行われ、ＴＳ分離部（０３０３）においてＴＳの分離（図４の０４０３）が行われ、ＰＳＩ／ＳＩ解析部（０３０４）にて復号（図４の０４０４）が行われる。
【００１５】
図５は、ＴＳのデータ構造の概念図である。ＴＳ（トランスポートストリーム）（０５０１）は、ＴＳパケットと呼ばれる１８８バイトの固定長パケットの列で構成されている。各ＴＳパケットは４バイトのヘッダと、それに続く情報部から構成され、ヘッダに記載されるＩＤ（ＰＩＤ：パケット識別子）により、そのパケットの種別（ＰＳＩ／ＳＩ、映像、音声、字幕、データ放送等）が判別できるようになっている。ＰＳＩ／ＳＩの一つであるＮＩＴのＰＩＤは固定値であるので、デジタル放送受信装置はＰＩＤに基づいて受信したＴＳからＮＩＴのパケットを抽出することができる。また、データ有効部分（伝送するデータ部分）は、セクションヘッダと呼ばれるヘッダ部、記述子が記載される記述子フィールド、及び誤り判定用のＣＲＣ（Ｃｙｃｌｉｃ  Ｒｅｄｕｎｄａｎｃｙ  Ｃｈｅｃｋ）から構成されるが、ネットワークＩＤはセクションヘッダに記載される。つまり、図４にて説明したように放送信号からセクションデータがデコードされ、デコードされたセクションデータからＮＩＴを抽出して、ネットワークＩＤが取得されることとなる。
【００１６】
また、図６はサーチ部にて取得される情報の具体例を示す。サーチ部では物理チャンネルとその物理チャンネルにて受信できたネットワークＩＤが取得される。また、図７はサーチ部のハードウェア上における処理の具体例を示す。アンテナ（０７０１）から受信された放送波は受信・復調回路（図３のフロントエンド部）（０７０２）にて復調され、その後デコードされ、メインメモリ等の所定の記憶領域に格納される（０７０３、０７０４）。これによって、物理チャンネルとその物理チャンネルにて受信されたネットワークＩＤが取得できたこととなる。また、サーチ部はこのような処理をＣＰＵに実行させるためのプログラムを含んでいてもよい。なお、図６を用いて説明したハードウェア上の処理は、あくまで処理の概要を説明するものである。（明細書の全体を通じて同様である。）
【００１７】
「中継局テーブル保持部」（０２０２）は、各中継局ごとに割り当てられている物理チャンネルと、その物理チャンネルで放送されているとされるネットワークＩＤと、を関連付けた中継局テーブルを複数保持する。「（その物理チャンネルで）放送されているとされるネットワークＩＤ」とは、実際に放送されているか否かは分からないが、放送されていると予想されるネットワークＩＤ、という意味である。実際に放送されているか否かは分からない、とは、すでに放送番組の改変等の理由により物理チャンネルと放送局（ネットワークＩＤ）との関連付けが変更になっているような場合である。図８は、中継局テーブルの具体例を示す。「放送地域」は図４における地域４００１が該当し、「中継局地域」とは図４における中継局地域（４００２ａ等）が該当する。中継局テーブル保持部は、このような複数の中継局テーブルをハードディスク等の所定の記憶領域にデータベース等として格納している。なお、図８は中継局テーブルのデータ構造を概念的に例示したものであり、中継局テーブルのデータ形式は特定のものに限定されない。例えばデータベース形式、リスト構造、テキスト形式（ＣＳＶ形式等含む）など、種種のものが想定される。また、中継局テーブルは必ずしもデジタル放送受信装置内の記憶装置に置かれる必要はなく、ＳＤカード等の外部メモリに記憶されて参照されるようになっていてもよい。
【００１８】
「中継局テーブル特定部」（０２０３）は、サーチの結果取得されたネットワークＩＤとそのネットワークＩＤを受信した物理チャンネルとの少なくとも一の組合せを示す組合情報をキーとして保持されている各中継局テーブルを検索し、この組合情報と同じ組合せの関連付けペアが含まれる中継局テーブルを特定する。「少なくとも一の組合せを示す組合情報をキーとして」とは、一の組合せを示す組合情報のみならず複数の組合せを示す組合情報をキーとしてもよいことを意味する。例えば、図８の中継局テーブルにおいて物理チャンネル‘２２’とネットワークＩＤ‘７ＦＥ３’の一の組合せを示す組合情報で各中継局テーブルを検索しても、地域ａ、地域ｂ、地域ｃの３つの中継局テーブルが特定されてしまうため、このような場合はさらにサーチ部にてさらにサーチを行ない他の物理チャンネルとネットワークＩＤとの組合せを取得してそれらをもキーとしてさらに各中継局テーブルを検索する等となっていてもよい。また、中継局テーブル特定部において中継局テーブルを検索する理由としては、検索して特定された中継局テーブルをその後、選局制御部（図３における０３１０）にて利用し、リモコンキーが押下された場合にチューナにそのリモコンキーに対応した物理チャンネルを設定できるようにすることが想定される。すなわち、原則、中継局テーブルには選局制御部が直接利用するデータが含まれていることが想定されるが、かならずしも中継局テーブルに選局制御部が利用可能なデータが含まれていなくともよい。例えば、選局制御部が直接利用できないデータであって、あくまでどの中継局テーブルを採用すべきであるかを決定するために準備された検索専用のデータであってもよい。
【００１９】
図９は、中継局テーブル特定部における処理の具体例を示す。サーチ部（０９０１）にて、「物理チャンネル‘１９ＣＨ’  ネットワークＩＤ‘７ＦＥ０’」（０９０４）という情報を取得したとする。また、中継局テーブル保持部（０９０２）においては図８と同じ中継局テーブル（０９０５）が保持されているとする。中継局テーブル特定部（０９０３）においては、サーチ部で取得した物理チャンネルとネットワークＩＤの組合せを示す組合情報（０９０６）をキーとして中継局テーブル保持部に保持されている各中継局テーブル（０９０７）を検索すると、地域ｂの中継局テーブル（０９０８）が特定されることとなる。
【００２０】
また、図１０は中継局テーブル特定部のハードウェア上における処理の具体例を示す。なお、ハードディスク等の所定の記憶領域に各中継局テーブルがデータベースとして記憶されているものとする。メインメモリに格納されている（サーチ部で取得）物理チャンネルとネットワークＩＤを利用して各中継局テーブルを検索するためのＳＱＬ文が生成される（１００２）。生成されたＳＱＬ文はハードディスクに記憶されている各中継局テーブル（１００１）に対して実行される（１００３）。実行された結果、特定された中継局テーブルのデータがメインメモリに格納される（１００４）。これによって、中継局テーブルが特定されたこととなる。また、中継局テーブル特定部はこのような処理をＣＰＵに実行させるためのプログラムを含んでいてもよい。
【００２１】
「一覧テーブル取得部」（０２０４）は、特定された中継局テーブルに含まれる物理チャンネルを前記環境下における受信可能物理チャンネルの一覧テーブルであるとして取得する。なお、特定された中継局テーブルと一覧テーブルの内容は同一であっても構わない。図１１は、一覧テーブル取得部における処理の具体例を示す。中継局テーブル特定部にて特定された中継局テーブル（１１０１）に対して、物理チャンネルを選択するためのＳＱＬ文‘ｓｅｌｅｃｔ  物理チャンネル  ｆｒｏｍ  中継局テーブル’（１１０３）を生成する。このＳＱＬ文（１１０３）を中継局テーブル（１１０１）に対して実行することで一覧テーブル（１１０２）を取得することができる。
【００２２】
図１２は、一覧テーブル取得部のハードウェア上における処理の具体例を示す。ＣＰＵにおいてＳＱＬ文を生成し（１２０１）、メインメモリに格納されている中継局テーブルに対して実行し（１２０２）、取得された物理チャンネルの一覧テーブルをメインメモリに格納する（１２０３）。また、一覧テーブル取得部はこのような処理をＣＰＵに実行させるためのプログラムを含んでいてもよい。
【００２３】
なお、以上においてネットワークＩＤは放送局を一意に特定する情報として利用しており、ネットワークＩＤに代えて、サービスＩＤやＴＳ名（サービス提供事業者名）などであっても同様の処理が可能である。
【００２４】
（実施形態１：処理の流れ）図１３は、本実施形態に係るデジタル放送受信装置における処理の流れを示すフロー図を例示する。
【００２５】
最初に、所定のデフォルト値から受信可能物理チャンネルと、その物理チャンネルで放送されているネットワークＩＤのサーチをする（Ｓ１３０１）。次に、サーチの結果取得されたネットワークＩＤとそのネットワークＩＤを受信した物理チャンネルの組合情報をキーとして保持している各中継局テーブルを検索し、特定する（Ｓ１３０２）。次に、特定された中継局テーブルに含まれる物理チャンネルを一覧テーブルとして取得する（Ｓ１３０３）。
【００２６】
なお、図１３のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２７】
（実施形態１：効果）本実施形態に係るデジタル放送受信装置によれば、サーチして取得したネットワークＩＤと、そのネットワークＩＤを受信した物理チャンネルとの組合情報に基づいて一覧テーブルを決定することにより、全サーチをせずに中継局地域に応じた物理チャンネルのリストを得ることができる。
（実施形態２）
【００２８】
（実施形態２：概要）本実施形態は、組合情報をキーとして行なう前記検索により特定される中継局テーブルが複数である場合に、利用者に対して特定された複数の中継局テーブルから一の中継局テーブルを選択させるための選択支援情報を出力することを特徴とするデジタル放送受信装置について説明する。
【００２９】
（実施形態２：構成）本実施形態に係るデジタル放送受信装置の機能ブロック図を図１４に例示する。デジタル放送受信装置（１４００）は、「サーチ部」（１４０１）と、「中継局テーブル保持部」（１４０２）と、「中継局テーブル特定部」（１４０３）と、「一覧テーブル取得部」（１４０４）と、「選択支援情報出力部」（１４０５）と、を有する。「選択支援情報出力部」（１４０５）以外の構成については実施形態１と同様であるので省略する。
【００３０】
「選択支援情報出力部」（１４０５）は、組合情報をキーとして行なう前記検索により特定される中継局テーブルが複数である場合に、利用者に対して特定された複数の中継局テーブルから一の中継局テーブルを選択させるための選択支援情報を出力する。「組合情報をキーとして行なう前記検索」とは、中継局テーブル特定部（１４０３）における検索を指す。すなわち、「組合情報をキーとして行なう前記検索により特定される中継局テーブルが複数である場合」とは、中継局テーブル特定部（１４０３）における検索により特定された中継局テーブルが複数である場合、という意味である。図１５に中継局テーブル特定部における検索により特定された中継局テーブルが複数となる場合を示す。サーチ部にて取得された物理チャンネルとネットワークＩＤの組合情報が「物理チャンネル‘２２ＣＨ’  ネットワークＩＤ‘７ＦＥ３’」（１５０１）であるとする。この組合情報（１５０１）によって図８に例示した各中継局テーブル（１５０２）を検索すると、地域ａ、地域ｂ、地域ｃの３つの地域の中継局テーブルが特定される（１５０３）。このような場合、選択支援情報出力部では、利用者にこの３つの地域の中継局テーブルから一の中継局テーブルを選択させるための選択支援情報を出力する。「選択支援情報」とは、主に特定された中継局テーブルが複数であることと、特定された複数の中継局テーブルから一の中継局テーブルを選択するよう指示する旨の情報などが含まれている情報である。また、「選択情報を出力する」場合の出力方法としては、画像によるディスプレイ等への出力、音声によるスピーカ等への出力、など様々な方法が考えられる。図１６は、ディスプレイへ選択支援情報を出力した場合を例示する。利用者は選択する中継局テーブルの地域をラジオボタン（１６０１）で選択し決定ボタン（１６０２）を押下することにより、一の中継局テーブルを選択することができる。
【００３１】
図１７は、選択支援情報出力部のハードウェア上における処理の具体例を示す。メインメモリに格納されている（サーチ部にて取得）物理チャンネルとネットワークＩＤをキーとしてハードディスクに記憶されている各中継局テーブル（１７０１）を検索する（図１０にて説明したように、実際にはＳＱＬ文が各中継局テーブルに対して実行される場合が想定されるが、ここでは省略する）（１７０２）。検索された結果、特定された中継局テーブルのテーブル（もしくは地域名）がメインメモリに格納される（１７０３）。格納された中継局テーブルが複数である場合には、選択支援情報を生成してＶＲＡＭ（Ｖｉｄｅｏ  ＲＡＭ）へ出力され（１７０４）、ディスプレイへ表示される（１７０５）。これによって、選択支援情報が出力されたこととなる。また、選択支援情報出力部はこのような処理をＣＰＵに実行させるためのプログラムを含んでいてもよい。
【００３２】
（実施形態２：処理の流れ）図１８は、本実施形態に係るデジタル放送受信装置における処理の流れを示すフロー図を例示する。
【００３３】
最初に、所定のデフォルト値から受信可能物理チャンネルと、その物理チャンネルで放送されているネットワークＩＤのサーチをする（Ｓ１８０１）。次に、サーチの結果取得されたネットワークＩＤとそのネットワークＩＤを受信した物理チャンネルの組合情報をキーとして保持している各中継局テーブルを検索し、特定する（Ｓ１８０２）。次に、特定された中継局テーブルが複数であるか判断する（Ｓ１８０３）。ここでの判断結果が複数であるとの判断結果である場合にはステップＳ１８０４に移行する。ここでの判断結果が複数ではないとの判断結果である場合にはステップＳ１８０５に移行する。ステップＳ１８０４では、選択支援情報を出力する（Ｓ１８０４）。次に、特定（選択）された中継局テーブルに含まれる物理チャンネルを一覧テーブルとして取得する（Ｓ１８０５）。
【００３４】
（実施形態２：効果）本実施形態に係るデジタル放送受信装置によれば、サーチして取得したネットワークＩＤと、そのネットワークＩＤを受信した物理チャンネルとの組合情報に基づいて特定した中継局テーブルが複数である場合であっても、利用者に一の中継局テーブルを選択させることで、一の中継局テーブルを決定することができる。
（実施形態３）
【００３５】
（実施形態３：概要）本実施形態は、サーチによって最初に取得された組合情報をキーとして行なう前記検索により特定される中継局テーブルが複数である場合には、さらに組合情報を取得するためのサーチを行なわせ、取得された組合情報により特定される中継局テーブルが一となるまでこれを繰返しサーチと中継局テーブルの特定とを行なわせることを特徴とするデジタル放送受信装置について説明する。
【００３６】
（実施形態３：構成）本実施形態に係るデジタル放送受信装置の機能ブロック図を図１９に例示する。デジタル放送受信装置（１９００）は、「サーチ部」（１９０１）と、「中継局テーブル保持部」（１９０２）と、「中継局テーブル特定部」（１９０３）と、「一覧テーブル取得部」（１９０４）と、「第一制御部」（１９０６）と、を有する。また、デジタル放送受信装置は、さらに選択支援情報出力部を有していてもよい。「第一制御部」（１９０６）以外の構成については実施形態１又は２と同様であるので省略する。
【００３７】
「第一制御部」（１９０６）は、サーチ部によって最初に取得された組合情報をキーとして行なう前記検索により特定される中継局テーブルが複数である場合には、さらに組合情報を取得するためのサーチを行なわせ、取得された組合情報により特定される中継局テーブルが一となるまでこれを繰返しサーチ部と中継局テーブル特定部とに行なわせる機能を有する。「サーチ部によって最初に取得された」の「最初」とは、デジタル放送受信装置が設置される場所が変更となった等の理由により新たにチャンネルリストを取得するため本実施形態に係るデジタル放送受信装置に処理を実行させる場合のサーチ部での一回目のサーチを指す。この最初のサーチで取得された物理チャンネルとネットワークＩＤとの組合情報によって中継局テーブル特定部にて特定された中継局テーブルが複数である場合には、さらにサーチ部にサーチを行なわせて別の組合情報を取得させ、新たに取得された組合情報をもキーとして中継局テーブル特定部に各中継局テーブルを検索させる。この処理を、中継局テーブル特定部にて特定される中継局テーブルが一となるまでサーチ部と中継局テーブル特定部に繰返し行なわせるのが、第一制御部の機能である。また、「最初に取得された組合情報」には、複数の物理チャンネルとネットワークＩＤの組合せが含まれていてもよい。すなわち、まずサーチ部にて複数の物理チャンネルにおいてネットワークＩＤを取得し、その後に中継局テーブル特定部にて中継局テーブルの検索を行なうようになっていてもよい。
【００３８】
図２０は、第一制御部による制御によって中継局テーブルが一に特定される場合の具体例を示す。サーチ部にて取得された物理チャンネルとネットワークＩＤの組合情報が「物理チャンネル‘２２ＣＨ’  ネットワークＩＤ‘７ＦＥ３’」（２００１）であるとする。この組合情報（２００１）によって図８に例示した各中継局テーブル（２００２）を検索すると、地域ａ、地域ｂ、地域ｃの３つの地域の中継局テーブルが特定される（２００３）。このような場合、さらにサーチ部にサーチをさせ、取得された物理チャンネルとネットワークＩＤの組合情報が「物理チャンネル‘２７ＣＨ’  ネットワークＩＤ‘７ＦＥ０’」（２００４）であるとする。前回の物理チャンネルとネットワークＩＤの組合せ（２００１）と新たに取得された物理チャンネルとネットワークＩＤの組合せ（２００４）からなる組合情報によって各中継局テーブル（２００２）を検索すると、この二つの組合せと同じ関連付けペアが含まれる中継局テーブルは、地域ａの中継局テーブル（２００５）のみであるので、これにより一の中継局テーブルが特定されたこととなる。
【００３９】
図２１は、第一制御部による制御についてハードウェア上における処理の具体例を示す。まず、アンテナ（２１０１）から受信された放送波は受信・復調回路（フロントエンド部）（２１０２）にて復調され、その後デコードされ、メインメモリに格納される（２１０３）。これがすなわち、サーチ部によって最初に取得された組合情報である。この組合情報をキーとしてハードディスクに記憶されている各中継局テーブルを検索する（図１０にて説明したように、実際にはＳＱＬ文が各中継局テーブルに対して実行される場合が想定されるが、ここでは省略する）（２１０４）。検索された結果、特定された中継局テーブルのテーブル（もしくは地域名）がメインメモリに格納される（２１０５）。格納された中継局テーブルが複数である場合には、さらにアンテナ（２１０１）から放送波が受信され受信・復調回路（フロントエンド部）（２１０２）にて別のネットワークＩＤが取得され、取得された物理チャンネルとネットワークＩＤがメインメモリに格納される（２１０６）。この新たな物理チャンネルとネットワークＩＤをも用いてハードディスクに記憶されている各中継局テーブルを検索する（２１０６）。検索された結果、特定された中継局テーブルのテーブルがメインメモリに格納される（２１０７）。格納された中継局テーブルが一のみであった場合には、第一制御部における処理を終了する。これにより、一の中継局テーブルが特定されたこととなる。また、第一制御部はこのような処理をＣＰＵに実行させるためのプログラムを含んでいてもよい。
【００４０】
（実施形態３：処理の流れ）図２２は、本実施形態に係るデジタル放送受信装置における処理の流れを示すフロー図を例示する。
【００４１】
最初に、所定のデフォルト値から受信可能物理チャンネルと、その物理チャンネルで放送されているネットワークＩＤのサーチをする（Ｓ２２０１）。次に、サーチの結果取得されたネットワークＩＤとそのネットワークＩＤを受信した物理チャンネルの組合情報をキーとして保持している各中継局テーブルを検索し、特定する（Ｓ２２０２）。次に、特定された中継局テーブルが複数であるか判断する（Ｓ２２０３）。ここでの判断結果が複数であるとの判断結果である場合にはステップＳ２２０１、ステップＳ２２０２を繰返す。ここでの判断結果が複数ではないとの判断結果である場合にはステップＳ２２０４に移行する。ステップＳ２２０４では、特定された中継局テーブルに含まれる物理チャンネルを一覧テーブルとして取得する（Ｓ２２０４）。
【００４２】
（実施形態３：効果）本実施形態に係るデジタル放送受信装置によれば、サーチして取得したネットワークＩＤと、そのネットワークＩＤを受信した物理チャンネルとの組合情報に基づいて特定した中継局テーブルが一となるまでサーチ部と中継局テーブル特定部に処理を実行させることにより、一の中継局テーブルを決定することができる。よって、例えばデジタル放送受信装置が設置されている中継局地域について利用者が詳細な情報を得られないため、実施形態２のように中継局地域を選択することが困難な場合などに特に有用である。
（実施形態４）
【００４３】
（実施形態４：概要）本実施形態は、保持されている中継局テーブルは各物理チャンネルに関連付けられた複数の操作用識別子をも含み、操作用識別子と物理チャンネルとの関連付けを用いて選局操作部ドライバを設定することを特徴とするデジタル放送受信装置について説明する。
【００４４】
（実施形態４：構成）本実施形態に係るデジタル放送受信装置の機能ブロック図を図２３に例示する。デジタル放送受信装置（２３００）は、「サーチ部」（２３０１）と、「中継局テーブル保持部」（２３０２）と、「中継局テーブル特定部」（２３０３）と、「一覧テーブル取得部」（２３０４）と、「第一ドライバ設定部」（２３０７）と、を有する。また、デジタル放送受信装置は、さらに選択支援情報出力部を有していてもよい。また、デジタル放送受信装置は、さらに第一制御部を有していてもよい。「第一ドライバ設定部」（２３０７）以外の構成については実施形態１から３のいずれか一と同様であるので省略する。
【００４５】
また、本実施形態においては、中継局テーブル保持部（２３０２）に保持されている中継局テーブルは各物理チャンネルに関連付けられた複数の操作用識別子をも含む。「操作用識別子」とは、いわゆるリモコンキーＩＤを指す。図２４に、中継局テーブルの具体例を示す。図２４に例示する中継局テーブルは、図８に例示した中継局テーブルの情報に加えて「リモコンキーＩＤ」を含む。
【００４６】
「第一ドライバ設定部」（２３０７）は、操作用識別子と物理チャンネルとの関連付けを用いて選局操作部ドライバを設定する。例えば、図２４に例示した中継局テーブルにおいて、中継局テーブル特定部にて特定された中継局テーブルが地域ｂの中継局であったとすると、操作用識別子（リモコンキーＩＤ）と物理チャンネルとの関連付けは図２５のような内容となる。「選局操作部ドライバ」とは、利用者がリモコンのキーを押下等した場合に、押下等されたリモコンキーのリモコンキーＩＤに応じた物理チャンネルがチューナに設定されるようにするためのドライバである。図２５の例であれば、１のリモコンキーが押下等された場合にはチューナに１９ＣＨが設定され、２のリモコンキーが押下等された場合にはチューナに２６ＣＨが設定されるということである。また、「選局操作部ドライバを設定する」とは、このような処理がなされるような仕組みを構築することであり、具体的には、例えば中継局テーブル特定部にて特定された中継局テーブルに含まれる操作用識別子と物理チャンネルとを関連付けた情報を所定の記憶領域に格納しておき、リモコンキー押下等があった場合には、この情報を参照してチューナへの物理チャンネルの設定を行なうような仕組みを構築することが該当する。
【００４７】
図２６は、第一ドライバ設定部によって選局操作部ドライバが設定された後の選局処理について、ハードウェア上における処理の具体例を示す。まず、図２５に例示したような物理チャンネルと操作用識別子とを関連付けた情報がＦＲＡＭ（フラッシュメモリ）に保持されている（２６０１）とする。ここで、入力インタフェース（リモコンキー）にて‘４’のリモコンキーが押下等されたとすると、このリモコンキーＩＤをＦＲＡＭに保持されている情報を参照し（２６０２）、リモコンキーＩＤ‘４’に対応する物理チャンネル‘２５ＣＨ’をチューナ（フロントエンド部）へ設定する（２６０３）。
【００４８】
（実施形態４：処理の流れ）図２７は、本実施形態に係るデジタル放送受信装置における処理の流れを示すフロー図を例示する。
【００４９】
最初に、所定のデフォルト値から受信可能物理チャンネルと、その物理チャンネルで放送されているネットワークＩＤのサーチをする（Ｓ２７０１）。次に、サーチの結果取得されたネットワークＩＤとそのネットワークＩＤを受信した物理チャンネルの組合情報をキーとして保持している各中継局テーブルを検索し、特定する（Ｓ２７０２）。次に、特定された中継局テーブルに含まれる物理チャンネルを一覧テーブルとして取得する（Ｓ２７０３）。次に、一覧テーブルに基づいて選局操作部ドライバの設定を行なう（Ｓ２７０４）。
【００５０】
（実施形態４：効果）本実施形態に係るデジタル放送受信装置によれば、特定された中継局テーブルに基づいてリモコンキーＩＤが設定され、利用者がリモコンキーを押下等した場合には対応する物理チャンネルの放送波が受信できる。
（実施形態５）
【００５１】
（実施形態５：概要）本実施形態は、予め定められた数の組合情報をキーとして行なう前記検索により一以上の中継局テーブルを特定できない場合には、所定の全範囲で受信可能物理チャンネルのサーチをすることを特徴とするデジタル放送受信装置について説明する。
【００５２】
（実施形態５：構成）本実施形態に係るデジタル放送受信装置の機能ブロック図を図２８に例示する。デジタル放送受信装置（２８００）は、「サーチ部」（２８０１）と、「中継局テーブル保持部」（２８０２）と、「中継局テーブル特定部」（２８０３）と、「一覧テーブル取得部」（２８０４）と、「全サーチ部」（２８０８）と、を有する。また、デジタル放送受信装置は、さらに選択支援情報出力部を有していてもよい。また、デジタル放送受信装置は、さらに第一制御部を有していてもよい。「全サーチ部」（２８０８）以外の構成については実施形態１から３のいずれか一と同様であるので省略する。
【００５３】
「全サーチ部」（２８０８）は、予め定められた数の組合情報をキーとして行なう前記検索により一以上の中継局テーブルを特定できない場合には、所定の全範囲で受信可能物理チャンネルのサーチをする。「予め定められた数の組合情報をキーとして行なう前記検索」とは、サーチ部にて取得される物理チャンネルとネットワークＩＤの一又は複数の組合せによって中継局テーブル特定部にて検索を行なうことを予め定められた回数行なうことを意味する。「予め定められた数」とは、１回であってもよいし、複数回であってもよい。さらに、すべての受信可能な物理チャンネルについてネットワークＩＤを取得し前記検索を行なうようになっていてもよい。また、「所定の全範囲」とは、受信するデジタル放送波において採用されている物理チャンネルの全範囲が該当する。例えば、受信するデジタル放送が地上デジタル放送であれば、地上デジタル放送の物理チャンネルはＵＨＦ帯の１３ＣＨから６２ＣＨまで存在するので１３ＣＨから６２ＣＨまでが「所定の全範囲」となる。
【００５４】
図２９は、全サーチ部のハードウェア上における処理の具体例を示す。サーチする全範囲が１３ＣＨから６２ＣＨであるとすると、まず、受信・復調回路（２９０２）で物理チャンネル‘１３ＣＨ’を受信するように設定が行なわれ、アンテナ（２９０１）から１３ＣＨの放送波の受信を試みる。放送波が受信されなかった場合には受信・復調回路（２９０２）に‘１４ＣＨ’の設定が行なわれ、放送波の受信が試される。放送波が受信できた場合にはその物理チャンネルを所定の記憶領域に保持しておき、さらに次の物理チャンネルで放送波を受信する。このような処理を繰返すことにより、最終的に受信可能な物理チャンネルの一覧を取得できる。また、放送波が受信された場合にはＮＩＴに含まれるリモコンキーＩＤを取得するようになっていてもよい。例えば、物理チャンネル‘１９ＣＨ’にてリモコンキーＩＤ‘１’が取得された場合には、メインメモリに物理チャンネル‘１９ＣＨ’とリモコンキーＩＤ‘１’を格納する（２９０３）。さらに、メインメモリに格納された物理チャンネルとリモコンキーＩＤをＦＲＡＭに格納していく（２９０４）。所定の全物理チャンネルの範囲にてこの処理を繰返すことで、物理チャンネルとリモコンキーＩＤの一覧（２９０５）を得ることができる。また、全サーチ部はこのような処理をＣＰＵに実行させるためのプログラムを含んでいてもよい。
【００５５】
（実施形態５：処理の流れ）図３０は、本実施形態に係るデジタル放送受信装置における処理の流れを示すフロー図を例示する。
【００５６】
最初に、所定のデフォルト値から受信可能物理チャンネルと、その物理チャンネルで放送されているネットワークＩＤのサーチをする（Ｓ３００１）。次に、サーチの結果取得されたネットワークＩＤとそのネットワークＩＤを受信した物理チャンネルの組合情報をキーとして保持している各中継局テーブルを検索し、特定する（Ｓ３００２）。次に、検索を終了するか判断する（Ｓ３００３）。検索を終了する場合とは、予め定められた数の全ての組合情報をキーとして検索した場合である。検索を終了しない場合、すなわち全ての組合情報について検索をしていない場合にはステップＳ３００１に戻る。検索を終了する場合には、ステップＳ３００４に移行する。ステップＳ３００４では、一以上の中継局テーブルが特定されたか判断する（Ｓ３００４）。ここでの判断結果が特定されていないとの判断結果である場合には、所定の全範囲で受信可能物理チャンネルのサーチを行なう（Ｓ３００５）。ここでの判断結果が特定されたとの判断結果である場合には、特定された中継局テーブルに含まれる物理チャンネルを一覧テーブルとして取得する（Ｓ３００６）。
【００５７】
（実施形態５：効果）本実施形態に係るデジタル放送受信装置によれば、中継局テーブルが特定されない場合であっても全サーチを行なうことにより物理チャンネルの一覧を得ることができる。
（実施形態６）
【００５８】
（実施形態６：概要）本実施形態は、所定の全範囲で受信可能物理チャンネルのサーチをした場合、サーチされた各物理チャンネルにて受信する各信号に含まれている各操作用識別子を用いて選局操作部ドライバを設定することを特徴とするデジタル放送受信装置について説明する。
【００５９】
（実施形態６：構成）本実施形態に係るデジタル放送受信装置の機能ブロック図を図３１に例示する。デジタル放送受信装置（３１００）は、「サーチ部」（３１０１）と、「中継局テーブル保持部」（３１０２）と、「中継局テーブル特定部」（３１０３）と、「一覧テーブル取得部」（３１０４）と、「全サーチ部」（３１０８）と、「第二ドライバ設定部」（３１０９）と、を有する。また、デジタル放送受信装置は、さらに選択支援情報出力部を有していてもよい。また、デジタル放送受信装置は、さらに第一制御部を有していてもよい。「第二ドライバ設定部」（３１０９）以外の構成については実施形態５と同様であるので省略する。
【００６０】
「第二ドライバ設定部」（３１０９）は、全サーチ部にてサーチされた各物理チャンネルにて受信する各信号に含まれている各操作用識別子を用いて選局操作部ドライバを設定する。「操作用識別子」とは実施形態４にても説明したように、いわゆるリモコンキーＩＤを指す。第二ドライバ設定部の機能は、実施形態４に係る第一ドライバ設定部の機能とほぼ同様であるが、異なるのは全サーチ部にてサーチされた結果取得される操作用識別子を用いて選局操作部ドライバを設定することである。すなわち、図２９にて説明したように全サーチ部におけるサーチによってＦＲＡＭ等に物理チャンネルとリモコンキーＩＤの一覧が取得できるため、この関連付けをもって選局操作部ドライバの設定を行なう。その他の機能については第一ドライバ設定部と同様である。
【００６１】
（実施形態６：処理の流れ）図３２は、本実施形態に係るデジタル放送受信装置における処理の流れを示すフロー図を例示する。
【００６２】
最初に、所定のデフォルト値から受信可能物理チャンネルと、その物理チャンネルで放送されているネットワークＩＤのサーチをする（Ｓ３２０１）。次に、サーチの結果取得されたネットワークＩＤとそのネットワークＩＤを受信した物理チャンネルの組合情報をキーとして保持している各中継局テーブルを検索し、特定する（Ｓ３２０２）。次に、検索を終了するか判断する（Ｓ３２０３）。検索を終了する場合とは、予め定められた数の全ての組合情報をキーとして検索した場合である。検索を終了しない場合、すなわち全ての組合情報について検索をしていない場合にはステップＳ３２０１に戻る。検索を終了する場合には、ステップＳ３２０４に移行する。ステップＳ３２０４では、一以上の中継局テーブルが特定されたか判断する（Ｓ３２０４）。ここでの判断結果が特定されていないとの判断結果である場合には、ステップＳ３２０５に移行する。ここでの判断結果が特定されたとの判断結果である場合には、ステップＳ３２０７に移行する。ステップＳ３２０５では、所定の全範囲で受信可能物理チャンネルのサーチを行なう（Ｓ３２０５）。さらに、サーチされた各物理チャンネルにて受信する各信号に含まれている各操作用識別子を用いて選局操作部ドライバの設定を行なう（Ｓ３２０６）。また、ステップＳ３２０７では、特定された中継局テーブルに含まれる物理チャンネルを一覧テーブルとして取得する（Ｓ３２０７）。
【００６３】
（実施形態６：効果）本実施形態に係るデジタル放送受信装置によれば、全サーチによって操作用識別子を取得し、リモコンキーの設定をすることが可能である。
（実施形態７）
【００６４】
（実施形態７：概要）本実施形態は、予め定められた数の組合情報をキーとして行なう前記検索により一以上の中継局テーブルを特定できない場合には、所定のＵＲＬから中継局テーブルを取得し中継局テーブルとして記録することを特徴とするデジタル放送受信装置について説明する。
【００６５】
（実施形態７：構成）本実施形態に係るデジタル放送受信装置の機能ブロック図を図３３に例示する。デジタル放送受信装置（３３００）は、「サーチ部」（３３０１）と、「中継局テーブル保持部」（３３０２）と、「中継局テーブル特定部」（３３０３）と、「一覧テーブル取得部」（３３０４）と、「中継局テーブル更新部」（３３１０）と、を有する。また、デジタル放送受信装置は、さらに選択支援情報出力部を有していてもよい。また、デジタル放送受信装置は、さらに第一制御部を有していてもよい。また、デジタル放送受信装置は、さらに第一ドライバ設定部、若しくは全サーチ部を有していてもよい。また、デジタル放送受信装置は、全サーチ部を有する場合にはさらに第二ドライバ設定部を有していてもよい。「中継局テーブル更新部」（３３１０）以外の構成については実施形態１から６のいずれか一と同様であるので省略する。
【００６６】
「中継局テーブル更新部」（３３１０）は、予め定められた数の組合情報をキーとして行なう前記検索により一以上の中継局テーブルを特定できない場合には、所定のＵＲＬから中継局テーブルを取得し中継局テーブル保持部に記録する。「ＵＲＬ」とは、「Ｕｎｉｆｏｒｍ  Ｒｅｓｏｕｒｃｅ  Ｌｏｃａｔｏｒ」の略である。「所定のＵＲＬ」とは、デジタル放送受信装置の外部のネットワーク上に存在する装置等を指し示すアドレス等が該当し、「ｈｔｔｐ：／／」などから始まるウェブサイトのアドレス表示のみならず、ＩＰアドレス等で表されるものであってもよい。また、所定のＵＲＬから取得する中継局テーブルは、デジタル放送受信装置が設定されている中継局地域が分かる場合には、その中継局地域の中継局テーブルのみを取得してもよいし、図８に例示したような全ての地域における中継局テーブルを取得してもよい。全ての地域における中継局テーブルを取得した場合には、さらにサーチ部と中継局テーブル特定部にて処理を実行し、一の中継局テーブルを特定することが想定される。また、「中継局テーブル保持部に記録する」とは、保持されていた古い中継局テーブルを削除して取得した中継局テーブルを新たに保持する場合、保持されていた古い中継局テーブルを取得した中継局テーブルのデータに更新する場合、保持されていた古い中継局テーブルに取得した中継局テーブルを追加する場合、などを含む概念である。
【００６７】
図３４は、中継局テーブル更新部のハードウェア上における処理の具体例を示す。通信インタフェース等によって中継局テーブルのデータを受信すると、メインメモリに格納していく（３４０１）。メインメモリに格納された中継局テーブルのデータはハードディスクに記憶される（３４０２）。また、中継局テーブル更新部はこのような処理をＣＰＵに実行させるためのプログラムを含んでいてもよい。
【００６８】
（実施形態７：処理の流れ）図３５は、本実施形態に係るデジタル放送受信装置における処理の流れを示すフロー図を例示する。
【００６９】
最初に、所定のデフォルト値から受信可能物理チャンネルと、その物理チャンネルで放送されているネットワークＩＤのサーチをする（Ｓ３５０１）。次に、サーチの結果取得されたネットワークＩＤとそのネットワークＩＤを受信した物理チャンネルの組合情報をキーとして保持している各中継局テーブルを検索し、特定する（Ｓ３５０２）。次に、検索を終了するか判断する（Ｓ３５０３）。検索を終了する場合とは、予め定められた数の全ての組合情報をキーとして検索した場合である。検索を終了しない場合、すなわち全ての組合情報について検索をしていない場合にはステップＳ３５０１に戻る。検索を終了する場合には、ステップＳ３５０４に移行する。ステップＳ３５０４では、一以上の中継局テーブルが特定されたか判断する（Ｓ３５０４）。ここでの判断結果が特定されていないとの判断結果である場合には、ステップＳ３５０５に移行する。ここでの判断結果が特定されたとの判断結果である場合には、ステップＳ３５０７に移行する。ステップＳ３５０５では、所定のＵＲＬから中継局テーブルを取得し記録する（Ｓ３５０５）。次に、処理を終了するか判断する。処理を終了しない場合にはステップＳ３５０１に戻る（Ｓ３５０６）。また、ステップＳ３５０７では、特定された中継局テーブルに含まれる物理チャンネルを一覧テーブルとして取得する（Ｓ３５０７）。
【００７０】
（実施形態７：効果）本実施形態に係るデジタル放送受信装置によれば、例えば保持している中継局テーブルが古いために中継局テーブルが特定されない場合であっても、外部の装置等から最新の中継局テーブルを取得することができる。
（実施形態８）
【００７１】
（実施形態８：概要）本実施形態は、組合情報をキーとして行なう前記検索により特定される中継局テーブルが複数である場合に、複数の中継局テーブルに含まれている物理チャンネルの論理和を受信可能物理チャンネルの一覧テーブルであるとして取得することを特徴とするデジタル放送受信装置について説明する。
【００７２】
（実施形態８：構成）本実施形態に係るデジタル放送受信装置の機能ブロック図を図３６に例示する。デジタル放送受信装置（３６００）は、「サーチ部」（３６０１）と、「中継局テーブル保持部」（３６０２）と、「中継局テーブル特定部」（３６０３）と、「一覧テーブル取得部」（３６０４）と、「論理和一覧テーブル取得部」（３６１１）と、を有する。また、デジタル放送受信装置は、さらに選択支援情報出力部を有していてもよい。また、デジタル放送受信装置は、さらに第一制御部を有していてもよい。また、デジタル放送受信装置は、さらに第一ドライバ設定部、若しくは全サーチ部を有していてもよい。また、デジタル放送受信装置は、全サーチ部を有する場合にさらに第二ドライバ設定部を有していてもよい。また、デジタル放送受信装置は、さらに中継局テーブル更新部を有していてもよい。「論理和一覧テーブル取得部」（３６１１）以外の構成については実施形態１から７のいずれか一と同様であるので省略する。
【００７３】
「論理和一覧テーブル取得部」（３６１１）は、組合情報をキーとして行なう前記検索により特定される中継局テーブルが複数である場合に、複数の中継局テーブルに含まれている物理チャンネルの論理和を受信可能物理チャンネルの一覧テーブルであるとして取得する。「組合情報をキーとして行なう前記検索により特定される中継局テーブルが複数である場合」とは、実施形態２にても説明したように、中継局テーブル特定部（３６０３）における検索により特定された中継局テーブルが複数である場合、という意味である。「複数の中継局テーブルに含まれている物理チャンネルの論理和を受信可能物理チャンネルの一覧テーブルとして取得する」処理について、具体例を図３７に示す。例えば図２４に例示した中継局テーブルのうち、特定された中継局テーブルが地域ａ、地域ｂ、地域ｃの中継局テーブル（３７０１）であるとする。これらの中継局テーブルに含まれている物理チャンネルの論理和をとったものが表３７０２である。まず、地域ａの中継局テーブルにより、物理チャンネル‘２７ＣＨ’、‘２６ＣＨ’、‘２５ＣＨ’、‘２２ＣＨ’に対応するリモコンキーＩＤは‘１’、‘２’、‘４’、‘６’であり、放送局は‘○○○総合’、‘○○○教育’、‘××テレビ’、‘△△放送’となる。次に、地域ｂの中継局テーブルにより、物理チャンネル‘２６ＣＨ’、‘２５ＣＨ’、‘２２ＣＨ’のリモコンキーＩＤと放送局は地域ａの場合と同様であるが、物理チャンネル‘１９ＣＨ’はリモコンキーＩＤ‘１’、放送局‘○○○総合’である。しかし、リモコンキーＩＤ‘１’については、すでに物理チャンネル‘２７ＣＨ’、放送局‘○○○総合’が割り当てられているので、物理チャンネル‘１９ＣＨ’は空いているリモコンキーＩＤである‘７’に割り当てることとする。同様に、地域ｃの中継局テーブルにより、物理チャンネル‘３４ＣＨ’については空いているリモコンキーＩＤ‘９’を割り当てることとする。このような処理により、特定された複数の中継局テーブルに含まれている物理チャンネルの論理和を一覧テーブルとして取得することができる。なお、物理チャンネルの論理和の取り方は図３６の方法以外にも様々に考えられ、図３６の方法に限定するものではない。
【００７４】
図３８は、論理和一覧テーブル取得部のハードウェア上における処理の具体例を示す。まず、中継局テーブル特定部によりハードディスクに保持されている中継局テーブルから複数の中継局テーブルが特定されメインメモリに格納される（３８０１）。次に、メインメモリに格納された中継局テーブルに含まれる物理チャンネルの論理和が算出されＦＲＡＭに格納される（３８０２）。また、論理和一覧テーブル取得部はこのような処理をＣＰＵに実行させるためのプログラムを含んでいてもよい。
【００７５】
（実施形態８：処理の流れ）図３９は、本実施形態に係るデジタル放送受信装置における処理の流れを示すフロー図を例示する。
【００７６】
最初に、所定のデフォルト値から受信可能物理チャンネルと、その物理チャンネルで放送されているネットワークＩＤのサーチをする（Ｓ３９０１）。次に、サーチの結果取得されたネットワークＩＤとそのネットワークＩＤを受信した物理チャンネルの組合情報をキーとして保持している各中継局テーブルを検索し、特定する（Ｓ３９０２）。次に、特定された中継局テーブルが複数であるか判断する（Ｓ３９０３）。ここでの判断結果が複数であるとの判断結果である場合にはステップＳ３９０４に移行し、特定された複数の中継局テーブルに含まれている物理チャンネルの論理和を受信可能物理チャンネルの一覧テーブルとして取得する（Ｓ３９０４）。ここでの判断結果が複数ではないとの判断結果である場合にはステップＳ３９０５に移行し、特定された中継局テーブルに含まれる物理チャンネルを一覧テーブルとして取得する（Ｓ３９０５）。
【００７７】
（実施形態８：効果）本実施形態に係るデジタル放送受信装置によれば、例えばデジタル放送受信装置が設置されている地域にて利用可能性のあるチャンネルすべてをまとめて一覧テーブルとすることができる。
【図面の簡単な説明】
【００７８】
【図１】本発明に係るデジタル放送受信装置におけるチャンネルリストの取得方法の概念図
【図２】実施形態１に係るデジタル放送受信装置の機能ブロック図
【図３】一般的なデジタル放送受信装置の構成の一例図
【図４】地上デジタルテレビ放送波の受信処理を示す概略図
【図５】地上デジタル放送のＴＳのデータ構造の概念図
【図６】サーチ部にて取得される情報の一例図
【図７】サーチ部におけるハードウェア上の処理動作の一例図
【図８】中継局テーブルの一例図
【図９】中継局テーブル特定部における処理の一例図
【図１０】中継局テーブル特定部におけるハードウェア上の処理動作の一例図
【図１１】一覧テーブル取得部における処理の一例図
【図１２】一覧テーブル取得部におけるハードウェア上の処理動作の一例図
【図１３】実施形態１に係るデジタル放送受信装置の処理の流れを示すフロー図
【図１４】実施形態２に係るデジタル放送受信装置の機能ブロック図
【図１５】検索により特定された中継局テーブルが複数となる場合の一例図
【図１６】選択支援情報の出力の一例図
【図１７】選択支援情報出力部におけるハードウェア上の処理動作の一例図
【図１８】実施形態２に係るデジタル放送受信装置の処理の流れを示すフロー図
【図１９】実施形態３に係るデジタル放送受信装置の機能ブロック図
【図２０】第一制御部の制御によって中継局テーブルが一に特定される場合の一例図
【図２１】第一制御部による制御におけるハードウェア上の処理動作の一例図
【図２２】実施形態３に係るデジタル放送受信装置の処理の流れを示すフロー図
【図２３】実施形態４に係るデジタル放送受信装置の機能ブロック図
【図２４】中継局テーブルの一例図
【図２５】操作用識別子と物理チャンネルとの関連付けの一例図
【図２６】選局操作部ドライバのハードウェア上の処理動作の一例図
【図２７】実施形態４に係るデジタル放送受信装置の処理の流れを示すフロー図
【図２８】実施形態５に係るデジタル放送受信装置の機能ブロック図
【図２９】全サーチ部におけるハードウェア上の処理動作の一例図
【図３０】実施形態５に係るデジタル放送受信装置の処理の流れを示すフロー図
【図３１】実施形態６に係るデジタル放送受信装置の機能ブロック図
【図３２】実施形態６に係るデジタル放送受信装置の処理の流れを示すフロー図
【図３３】実施形態７に係るデジタル放送受信装置の機能ブロック図
【図３４】中継局テーブル更新部におけるハードウェア上の処理の具体例
【図３５】実施形態７に係るデジタル放送受信装置の処理の流れを示すフロー図
【図３６】実施形態８に係るデジタル放送受信装置の機能ブロック図
【図３７】複数の中継局テーブルに含まれている物理チャンネルの論理和を一覧テーブルとして取得する場合の一例図
【図３８】論理和一覧テーブル取得部におけるハードウェア上の処理の具体例
【図３９】実施形態８に係るデジタル放送受信装置の処理の流れを示すフロー図
【図４０】中継局地域を説明する図
【符号の説明】
【００７９】
０１０１  デジタル放送受信装置
０１０２  中継局テーブル
０１０３  ネットワークＩＤ
０１０４  中継局テーブル
０２０１  サーチ部
０２０２  中継局テーブル保持部
０２０３  中継局テーブル特定部
０２０４  一覧テーブル取得部
【図１】
2008167085.tif 000003
【図２】
2008167085.tif 000004
【図３】
2008167085.tif 000005
【図４】
2008167085.tif 000006
【図５】
2008167085.tif 000007
【図６】
2008167085.tif 000008
【図７】
2008167085.tif 000009
【図８】
2008167085.tif 000010
【図９】
2008167085.tif 000011
【図１０】
2008167085.tif 000012
【図１１】
2008167085.tif 000013
【図１２】
2008167085.tif 000014
【図１３】
2008167085.tif 000015
【図１４】
2008167085.tif 000016
【図１５】
2008167085.tif 000017
【図１６】
2008167085.tif 000018
【図１７】
2008167085.tif 000019
【図１８】
2008167085.tif 000020
【図１９】
2008167085.tif 000021
【図２０】
2008167085.tif 000022
【図２１】
2008167085.tif 000023
【図２２】
2008167085.tif 000024
【図２３】
2008167085.tif 000025
【図２４】
2008167085.tif 000026
【図２５】
2008167085.tif 000027
【図２６】
2008167085.tif 000028
【図２７】
2008167085.tif 000029
【図２８】
2008167085.tif 000030
【図２９】
2008167085.tif 000031
【図３０】
2008167085.tif 000032
【図３１】
2008167085.tif 000033
【図３２】
2008167085.tif 000034
【図３３】
2008167085.tif 000035
【図３４】
2008167085.tif 000036
【図３５】
2008167085.tif 000037
【図３６】
2008167085.tif 000038
【図３７】
2008167085.tif 000039
【図３８】
2008167085.tif 000040
【図３９】
2008167085.tif 000041
【図４０】
2008167085.tif 000042